【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
撮像手段と、
この撮像手段が所定の周期で撮像する画像を取得する画像取得手段と、
前記画像取得手段によって取得された画像から顔領域を検出する顔領域検出手段と、
前記顔領域検出手段によって顔領域が検出されると、この顔領域に合焦するための合焦位置を決定する合焦位置決定手段と、
前記合焦位置決定手段により合焦位置が決定される毎に、前記決定された合焦位置に撮像レンズを駆動制御する合焦制御手段と、
前記合焦制御手段によって前記撮像レンズが前記決定された合焦位置へ駆動制御されたときに、前記画像取得手段によって取得された画像を記録する記録手段と、
を備えること特徴とする撮像装置。
【請求項２】
前記顔領域検出手段は前記取得された画像から顔領域を複数検出するとともに、これら検出された各顔領域の前記取得された画像における位置情報をそれぞれ記憶する位置情報記憶手段を更に備え、
前記合焦位置決定手段は、前記位置情報記憶手段から所定の順序で取り出す位置情報を基に合焦位置を決定することを特徴とする請求項１に記載の撮像装置。
【請求項３】
当該撮像装置と前記顔領域で特定される被写体との距離を取得する距離取得手段を更に備え、
前記所定の順序とは、この距離取得手段によって取得された距離の大きさの順であることを特徴とする請求項２に記載の撮像装置。
【請求項４】
前記顔領域検出手段は前記取得された画像から顔領域を複数検出するとともに、
前記合焦位置決定手段が合焦位置を決定する前に、前記複数検出された顔領域から合焦位置を決定すべき顔領域を選択する選択手段を更に備えることを特徴とする請求項１に記載の撮像装置。
【請求項５】
顔領域の特徴を示す顔データを記憶する顔データ記憶手段を更に備え、
前記顔領域検出手段は、前記顔データ記憶手段に記憶されている顔データと特徴が略一致する顔領域を検出することを特徴とする請求項１に記載の撮像装置。
【請求項６】
前記画像取得手段によって取得された画像から前記顔データ記憶手段に顔データとして登録すべき顔領域を抽出する抽出手段を更に備えることを特徴とする請求項５に記載の撮像装置。
【請求項７】
前記顔領域検出手段が顔領域を検出すると、この検出された顔領域を合焦すべき顔領域として記憶する顔領域記憶手段と、
この顔領域記憶手段への記憶処理後に前記画像取得手段が取得した画像については、前記記憶処理された顔領域を検出しないよう前記顔領域検出手段を制御する検出制御手段と、を更に備えることを特徴とする請求項１記載の撮像装置。
【請求項８】
撮像部が所定の周期で撮像する画像を取得する画像取得ステップと、
前記画像取得ステップにて取得された画像から顔領域を検出する顔領域検出ステップと、
前記顔領域検出ステップにて顔領域が検出されると、この顔領域に合焦するための合焦位置を決定する合焦位置決定ステップと、
前記合焦位置決定ステップで合焦位置が決定される毎に、前記決定された合焦位置に撮像レンズを駆動制御する合焦制御ステップと、
前記合焦制御ステップにて前記撮像レンズが前記決定された合焦位置へ駆動制御されたときに、前記画像取得ステップにて取得された画像を記録させる記録ステップと、
を含むことを特徴とする撮像画像記録方法。
【請求項９】
撮像装置のコンピュータを、
所定の周期で撮像する画像を取得する画像取得手段、
前記画像取得手段によって取得された画像から顔領域を検出する顔領域検出手段、
前記顔領域検出手段によって顔領域が検出されると、この顔領域に合焦するための合焦位置を決定する合焦位置決定手段、
前記合焦位置決定手段によって合焦位置が決定される毎に、前記決定された合焦位置に撮像レンズを駆動制御する合焦制御手段、
前記合焦制御手段によって前記撮像レンズが前記決定された合焦位置へ駆動制御されたときに、前記画像取得手段にて取得された画像を記録させる記録手段、
として機能させることを特徴とするプログラム。
【手続補正２】
【補正対象書類名】明細書
【補正対象項目名】発明の名称
【補正方法】変更
【補正の内容】
【発明の名称】撮像装置、撮像画像記録方法、及び、プログラム
【手続補正３】
【補正対象書類名】明細書
【補正対象項目名】０００８
【補正方法】変更
【補正の内容】
【０００８】
本発明は上記課題を解決するためになされたものであり、人物の顔が検出された場合であっても、各人物の顔毎に最適な焦点位置で撮影してぼけのない画像を得ることが可能な撮像装置、撮像画像記録方法、及び、プログラムの提供を目的とする。
【手続補正４】
【補正対象書類名】明細書
【補正対象項目名】０００９
【補正方法】変更
【補正の内容】
【０００９】
上記課題を解決するために、請求項１記載の発明は、撮像手段と、この撮像手段が所定の周期で撮像する画像を取得する画像取得手段と、前記画像取得手段によって取得された画像から顔領域を検出する顔領域検出手段と、前記顔領域検出手段によって顔領域が検出されると、この顔領域に合焦するための合焦位置を決定する合焦位置決定手段と、前記合焦位置決定手段により合焦位置が決定される毎に、前記決定された合焦位置に撮像レンズを駆動制御する合焦制御手段と、前記合焦制御手段によって前記撮像レンズが前記決定された合焦位置へ駆動制御されたときに、前記画像取得手段によって取得された画像を記録する記録手段と、を備えること特徴とする。
【手続補正５】
【補正対象書類名】明細書
【補正対象項目名】００１０
【補正方法】変更
【補正の内容】
【００１０】
また、請求項２記載の発明は上記請求項１記載の発明において、前記顔領域検出手段は前記取得された画像から顔領域を複数検出するとともに、これら検出された各顔領域の前記取得された画像における位置情報をそれぞれ記憶する位置情報記憶手段を更に備え、前記合焦位置決定手段は、前記位置情報記憶手段から所定の順序で取り出す位置情報を基に合焦位置を決定することを特徴とする。
【手続補正６】
【補正対象書類名】明細書
【補正対象項目名】００１１
【補正方法】変更
【補正の内容】
【００１１】
また、請求項３記載の発明は上記請求項２記載の発明において、当該撮像装置と前記顔領域で特定される被写体との距離を取得する距離取得手段を更に備え、前記所定の順序とは、この距離取得手段によって取得された距離の大きさの順であることを特徴とする。
【手続補正７】
【補正対象書類名】明細書
【補正対象項目名】００１２
【補正方法】変更
【補正の内容】
【００１２】
また、請求項４記載の発明は上記請求項１記載の発明において、前記顔領域検出手段は前記取得された画像から顔領域を複数検出するとともに、前記合焦位置決定手段が合焦位置を決定する前に、前記複数検出された顔領域から合焦位置を決定すべき顔領域を選択する選択手段を更に備えることを特徴とする。
【手続補正８】
【補正対象書類名】明細書
【補正対象項目名】００１３
【補正方法】変更
【補正の内容】
【００１３】
また、請求項５記載の発明は上記請求項１記載の発明において、顔領域の特徴を示す顔データを記憶する顔データ記憶手段を更に備え、前記顔領域検出手段は、前記顔データ記憶手段に記憶されている顔データと特徴が略一致する顔領域を検出することを特徴とする。
【手続補正９】
【補正対象書類名】明細書
【補正対象項目名】００１４
【補正方法】変更
【補正の内容】
【００１４】
また、請求項６記載の発明は上記請求項５記載の発明において、前記画像取得手段によって取得された画像から前記顔データ記憶手段に顔データとして登録すべき顔領域を抽出する抽出手段を更に備えることを特徴とする。
【手続補正１０】
【補正対象書類名】明細書
【補正対象項目名】００１５
【補正方法】変更
【補正の内容】
【００１５】
また、請求項７記載の発明は上記請求項１記載の発明において、前記顔領域検出手段が顔領域を検出すると、この検出された顔領域を合焦すべき顔領域として記憶する顔領域記憶手段と、この顔領域記憶手段への記憶処理後に前記画像取得手段が取得した画像については、前記記憶処理された顔領域を検出しないよう前記顔領域検出手段を制御する検出制御手段と、を更に備えることを特徴とする。
【手続補正１１】
【補正対象書類名】明細書
【補正対象項目名】００１６
【補正方法】変更
【補正の内容】
【００１６】
また、請求項８記載の発明は、撮像部が所定の周期で撮像する画像を取得する画像取得ステップと、前記画像取得ステップにて取得された画像から顔領域を検出する顔領域検出ステップと、前記顔領域検出ステップにて顔領域が検出されると、この顔領域に合焦するための合焦位置を決定する合焦位置決定ステップと、前記合焦位置決定ステップで合焦位置が決定される毎に、前記決定された合焦位置に撮像レンズを駆動制御する合焦制御ステップと、前記合焦制御ステップにて前記撮像レンズが前記決定された合焦位置へ駆動制御されたときに、前記画像取得ステップにて取得された画像を記録させる記録ステップと、を含むことを特徴とする。
【手続補正１２】
【補正対象書類名】明細書
【補正対象項目名】００１７
【補正方法】変更
【補正の内容】
【００１７】
また、請求項９記載の発明は、撮像装置のコンピュータを、所定の周期で撮像する画像を取得する画像取得手段、前記画像取得手段によって取得された画像から顔領域を検出する顔領域検出手段、前記顔領域検出手段によって顔領域が検出されると、この顔領域に合焦するための合焦位置を決定する合焦位置決定手段、前記合焦位置決定手段によって合焦位置が決定される毎に、前記決定された合焦位置に撮像レンズを駆動制御する合焦制御手段、前記合焦制御手段によって前記撮像レンズが前記決定された合焦位置へ駆動制御されたときに、前記画像取得手段にて取得された画像を記録させる記録手段、として機能させることを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
本発明によれば、人物の顔が検出された場合であっても、各人物の顔毎に最適な焦点位置で撮影してぼけのない画像を得ることが可能となる。